(57)【要約】【課題】  上流から浮遊するスカムをパイプスキーマで除去することができるとともに、パイプスキーマの後方のスカムをも除去することができるスカム除去装置及びその圧力スイッチ式水位検知装置を提供することを目的とするものである。【解決手段】  下水処理施設におけるスカム除去装置において、浮遊スカムを除去するスカム排出口７ａを有するパイプスキーマ７をその軸中心に正転又は反転方向に回動させ、パイプスキーマ７に付設されたパージパイプ８ａ内の空気圧の上昇により水位を検出する圧力スイッチ式水位検出手段が設けられ、圧力スイッチ式水位検出手段からの水位検出信号により、パイプスキーマ７の正転又は反転方向の回動を停止させて上流から流れてくるスカム又はパイプスキーマ７の後方のスカムをスカム排出口７ａから除去する。【選択図】  図１
2005040719.tif 000002
【特許請求の範囲】
【請求項１】
下水処理施設におけるスカム除去装置において、沈殿池等に浮遊するスカムを除去するスカム排出口を有するパイプスキーマをその軸中心に正転又は反転方向に回動させ、空気が供給され放出させるパージパイプを前記パイプスキーマに付設し、該パージパイプ内の空気圧の上昇により水位を検出する圧力スイッチ式水位検出手段が設けられ、該圧力スイッチ式水位検出手段による水位検出信号に基づいて、該パイプスキーマの正転又は反転方向への回動を停止させて前記スカム排出口を僅かに水面に没する位置に設定し、上流からのスカム又は該パイプスキーマ後方のスカムを前記スカム排出口から除去することを特徴とするスカム除去装置。
【請求項２】
下水処理施設におけるスカム除去装置は、沈殿池等に浮遊するスカムを除去するためのスカム排出口を有するパイプスキーマと、該パイプスキーマをその軸中心に正転又は反転させる駆動手段と、該パイプスキーマにエアーを放出するパージパイプが設けられ、前記駆動手段による該パイプスキーマの回動に伴って、該パージパイプの先端部が水面に没することにより、該パージパイプ内の空気圧の上昇を検知して水位を検出する圧力スイッチ式水位検出手段と、該パイプスキーマの正転又は反転方向への回転方向に応じて、前記パージパイプを回動させる回動手段とを備え、該パイプスキーマの正転又は反転方向の回動に応じて該パージパイプの先端を該回動手段により該パイプスキーマの正転又は反転方向に向け、前記圧力スイッチ式水位検出手段による水位検出信号に基づいて、前記スカム排出口が僅かに水面に没する位置に設定し、上流から流れてくるスカム又は該パイプスキーマの後方のスカムを前記スカム排出口から除去することを特徴とするスカム除去装置。
【請求項３】
下水処理施設におけるスカム除去装置は、沈殿池等に浮遊するスカムを除去するためのスカム排出口を有するパイプスキーマと、該パイプスキーマをその軸中心に正転又は反転方向に回動させる駆動手段と、該沈殿池等の水位を検出する圧力スイッチ式水位検出手段とを備え、該圧力スイッチ式水位検出手段の水位検出部が、供給されたエアーを両開放端部の何れか一方を選択的に閉じ他方を開放してエアーを放出するようにしたパージパイプを前記パイプスキーマに固定し、該パージパイプが該パイプスキーマの正転又は反転方向の回動に連れて傾斜し、該パージパイプの開放された開放端部が水面に没し、該パージパイプ内の空気圧の上昇を検知して、前記スカム排出口が僅かに水面に没する位置で前記パイプスキーマの回動を停止し、上流から流れてくるスカム又は該パイプスキーマの後方のスカムを前記スカム排出口から除去することを特徴とするスカム除去装置。
【請求項４】
スカム除去装置の圧力スイッチ式水位検知装置において、
正転又は反転方向に回動するパイプスキーマの長手方向に開口するスカム排出口に隣接して設けられるパージパイプと、該パージパイプに配管を通してエアーを供給する空気供給手段と、該配管内の空気圧で作動する圧力検出器と、前記パイプスキーマの正転又は反転方向の回動に合わせて、該パージパイプの開放端を該パイプスキーマの正転又は反転方向に向けるための回動手段とを備え、該パージパイプの開放端を該回動手段により、該パイプスキーマが回動する正転又は反転方向に向け、該パージパイプの開放端が水面に没することによる空気圧の上昇を前記圧力検出器で検出して水位を検出することを特徴とする圧力スイッチ式水位検知装置。
【請求項５】
スカム除去装置の圧力スイッチ式水位検知装置において、
正転又は反転方向に回動するパイプスキーマの長手方向に開口するスカム排出口に隣接し、長手方向に対して直角方向に設けられ、該パイプスキーマの正転又は反転方向にそれぞれ開放端を有するパージパイプと、該パージパイプに配管を通してエアーを供給する空気供給手段と、該配管内の空気圧で作動する圧力検出器とを備え、前記パージパイプの両開放端には、それぞれボール部材が内蔵され、該パイプスキーマの正転又は反転方向への回動に合わせて、該パージパイプ内のボール部材が選択的に一方の内開放端を閉塞し、他方の内開放端を開放してエアーを放出するようにし、エアーが放出される側の開放端部が水面に没することによる空気圧の上昇を前記圧力検出器で検出して水位を検出することを特徴とする圧力スイッチ式水位検知装置。
【発明の詳細な説明】
【技術分野】
【０００１】
本発明は、下水処理施設の沈殿池等の浮遊スカムを呑み込んで除去するパイプスキーマによるスカム除去装置及びその圧力スイッチ式水位検知装置に関するものである。
【背景技術】
【０００２】
下水処理施設では、下水が最初沈澱池、曝気槽及び最終沈澱池を経て処理され、処理水は処理場内水路を通して河川に放流され、沈降した汚泥はフライト式沈砂掻寄機等により回収されて焼却等で処理が行われている。また、最初及び最終沈澱池等では、油脂や固形物等がスカムとして浮遊し、越流堰や水路を閉塞したりするおそれがあるので、スカム除去装置を設けて、浮遊スカムは手動、或いは自動的に処理場系外に収集，排出されている。
【０００３】
従来のスカム除去装置には、例えば溢流堰を取り付けたトラフを設置して、溢流堰を開いて浮遊スカムをトラフ内に流し込んで除去するものがある。（例えば、特許文献１参照）また、他の従来例としては、パイプスキーマを用いて、スカムをスカム排出口から処理場系外に排出するものがあり、パイプスキーマには、固定式のパイプスキーマと、手動、或いは自動的にパイプスキーマが軸中心に回動させてスカム排出口からスカムを処理場系外に排出するものがある。
【０００４】
例えば、図６（ａ），（ｂ）の要部平面図及び要部断面図に示したパイプスキーマがある。パイプスキーマ１には、羽根車式のスカム掻取板２が駆動装置３により、パイプスキーマ１の周囲を回動自在に設けられ、パイプスキーマ１のスカム排出口１ａには、流水管４が配置されて雑用水がパイプスキーマ１内に供給されている。スカム掻取板２はメッシュ構造となっている。スカム掻取板２は駆動装置３により、パイプスキーマ１の周囲を回動して、浮遊するスカムを掻き取って、スカム排出口１ａからパイプスキーマ１内に送り込み、流水管４からの雑用水により処理場系外に排出している。（例えば、特許文献２参照）
【０００５】
【特許文献１】特開平１１−９０４２４号公報（明細書全文，図面全図）
【特許文献２】特開平０９−２９９９４０号公報（明細書全文，図面全図）
【発明の開示】
【発明が解決しようとする課題】
【０００６】
しかしながら、図６に示した従来のスカム除去装置では、スカム排出口１ａに付着してブリッジを形成し易い粘着性のあるスカムには効果的であるが、パイプスキーマ自体は固定されており、水位が変動した場合には、スカム掻取板２による掻き取りが困難になる場合があったり、また、スカム掻取板２を汚水の流れに逆らって、パイプスキーマの周囲を回動させて、スカムを掻き集めなければならないので、その動力は非常に大きなものとなる欠点があり、また、スカム掻取板２自体の洗浄等を定期的に実施しなければならず、維持管理が容易でない欠点があった。
【０００７】
また、他のスカム除去装置では、スカム排出口を有するパイプスキーマを汚水が流れて来る方向に回動させて、スカムを回収しており、多少の水位の変動があったとしても、パイプスキーマスを回転角度を調整することによって、スカム排出口が水面に達するように調整して、スカム排出口から浮遊スカムを呑み込んで排除することができるが、パイプスキーマの背後に流れ込んだスカムは除去することができない欠点があった。
【０００８】
また、スカム除去装置がスカムを除去できず、スカム除去装置の下流に流れて沈殿池等の越流堰に付着し堆積すると、堆積したスカム層の除去には人力により破砕処理しなければならず、労力を要する欠点があり、可能な限りスカム除去装置で除去するのが望ましいし、また、スカム層を人力で破砕処理した場合であっても、スカム除去装置を利用して除去できることが望ましい。
【０００９】
本発明は、上述の課題に鑑みなされたものであって、上流から浮遊するスカムをパイプスキーマで除去することができるとともに、パイプスキーマの後方のスカムをも除去することができるスカム除去装置及びその圧力スイッチ式水位検知装置を提供することを目的とするものである。
【課題を解決するための手段】
【００１０】
本発明では、上記課題を達成したものであり、請求項１の発明は、下水処理施設におけるスカム除去装置において、沈殿池等に浮遊するスカムを除去するスカム排出口を有するパイプスキーマをその軸中心に正転又は反転方向に回動させ、空気が供給され放出させるパージパイプを前記パイプスキーマに付設し、該パージパイプ内の空気圧の上昇により水位を検出する圧力スイッチ式水位検出手段が設けられ、該圧力スイッチ式水位検出手段による水位検出信号に基づいて、該パイプスキーマの正転又は反転方向への回動を停止させて前記スカム排出口を僅かに水面に没する位置に設定し、上流からのスカム又は該パイプスキーマ後方のスカムを前記スカム排出口から除去するようにしたスカム除去装置である。
【００１１】
また、請求項２の発明は、下水処理施設におけるスカム除去装置であって、沈殿池等に浮遊するスカムを除去するためのスカム排出口を有するパイプスキーマと、該パイプスキーマをその軸中心に正転又は反転させる駆動手段と、該パイプスキーマにエアーを放出するパージパイプが設けられ、前記駆動手段による該パイプスキーマの回動に伴って、該パージパイプの先端部が水面に没することにより、該パージパイプ内の空気圧の上昇を検知して水位を検出する圧力スイッチ式水位検出手段と、該パイプスキーマの正転又は反転方向への回転方向に応じて、前記パージパイプを回動させる回動手段とを備え、該パイプスキーマの正転又は反転方向の回動に応じて該パージパイプの先端を該回動手段により該パイプスキーマの正転又は反転方向に向け、前記圧力スイッチ式水位検出手段による水位検出信号に基づいて、前記スカム排出口が僅かに水面に没する位置に設定し、上流から流れてくるスカム又は該パイプスキーマの後方のスカムを前記スカム排出口から除去するようにしたスカム除去装置である。なお、回動手段は、モータや圧搾空気を利用して駆動させてもよいし、或いはパージパイプを正転又は反転方向に回動する駆動手段に連動させて回動させてもよい。
【００１２】
また、請求項３の発明は、下水処理施設におけるスカム除去装置であって、沈殿池等に浮遊するスカムを除去するためのスカム排出口を有するパイプスキーマと、該パイプスキーマをその軸中心に正転又は反転方向に回動させる駆動手段と、該沈殿池等の水位を検出する圧力スイッチ式水位検出手段とを備え、該圧力スイッチ式水位検出手段の水位検出部が、供給されたエアーを両開放端部の何れか一方を選択的に閉じ他方を開放してエアーを放出するようにしたパージパイプを前記パイプスキーマに固定し、該パージパイプが該パイプスキーマの正転又は反転方向の回動に連れて傾斜し、該パージパイプの開放された開放端部が水面に没し、該パージパイプ内の空気圧の上昇を検知して、前記スカム排出口が僅かに水面に没する位置で前記パイプスキーマの回動を停止し、上流から流れてくるスカム又は該パイプスキーマの後方のスカムを前記スカム排出口から除去するようにしたスカム除去装置である。
【００１３】
このパージパイプは、その両開放端部にボール部材が設けられ、パージパイプの傾斜によって、該パージパイプの一方の開放端側の内開放端を該ボール部材の自重で閉塞し、他方の内開放端部からエアーを放出し、前記パイプスキーマが正転又は反転方向へ回動することにより、選択的に開放された開放端部が水面に没し、パージパイプ内の空気圧の上昇を検知して、スカム排出口が僅かに水面に没する位置で設定して、上流から流れてくるスカム又は該パイプスキーマの後方のスカムを該スカム排出口から除去している。
【００１４】
また、請求項４の発明は、スカム除去装置の圧力スイッチ式水位検知装置において、
正転又は反転方向に回動するパイプスキーマの長手方向に開口するスカム排出口に隣接して設けられるパージパイプと、該パージパイプに配管を通してエアーを供給する空気供給手段と、該配管内の空気圧で作動する圧力検出器と、前記パイプスキーマの正転又は反転方向の回動に合わせて、該パージパイプの開放端を該パイプスキーマの正転又は反転方向に向けるための回動手段とを備え、該パージパイプの開放端を該回動手段により、該パイプスキーマが回動する正転又は反転方向に向け、該パージパイプの開放端が水面に没することによる空気圧の上昇を前記圧力検出器で検出して水位を検出することを特徴とする圧力スイッチ式水位検知装置であり、前記回動手段は、モータや圧搾空気を利用して駆動させてもよいし、或いはパージパイプを正転又は反転方向に回動する駆動手段に連動させて回動させてもよい。
【００１５】
また、請求項５の発明は、スカム除去装置の圧力スイッチ式水位検知装置において、
正転又は反転方向に回動するパイプスキーマの長手方向に開口するスカム排出口に隣接し、長手方向に対して直角方向に設けられ、該パイプスキーマの正転又は反転方向にそれぞれ開放端を有するパージパイプと、該パージパイプに配管を通してエアーを供給する空気供給手段と、該配管内の空気圧で作動する圧力検出器とを備え、前記パージパイプの両開放端には、それぞれボール部材が内蔵され、該パイプスキーマの正転又は反転方向への回動に合わせて、該パージパイプ内のボール部材が選択的に一方の内開放端を閉塞し、他方の内開放端を開放してエアーを放出するようにし、エアーが放出される側の開放端部が水面に没することによる空気圧の上昇を前記圧力検出器で検出して水位を検出するようにした圧力スイッチ式水位検知装置である。
【００１６】
このパージパイプは円管状であり、その両端部には開放端部と内開放端とが設けられ、開放端部と内開放端と間にはボール部材が設けられている。内開放端部の内径は、ボール部材の直径より小さく、テーパー状となっており、パージパイプが傾斜した場合、該パージパイプの内開放端をボール部材の自重でテーパー状の内開放端部に嵌って通気路を閉塞することができ、パージパイプに供給されたエアーは他方の内開放端から放出される。また、パージパイプが逆方向に回動すれば、反対側の内開放端が他のボール部材で閉塞されて他方の開放端部が開放されエアーが放出される。
【発明の効果】
【００１７】
本発明の効果は、請求項１の発明によれば、下水処理施設におけるスカム除去装置であって、沈殿池等に浮遊するスカムを除去するスカム排出口を有するパイプスキーマをその軸中心に正転又は反転方向に回動させ、該パイプスキーマに付設されたパージパイプを用いて該パージパイプ内の空気圧により水位を検出する圧力スイッチ式水位検出手段による水位検出信号に基づいて、該パイプスキーマの回動を停止させ、該パイプスキーマのスカム排出口と水面との位置を最適な位置関係に設定するようにして、該パイプスキーマの正転又は反転方向の回動により、上流から流れてくるスカム又は該パイプスキーマの後方のスカムとをスカム排出口から除去するようにしたスカム除去装置であり、パイプスキーマを正転又反転方向に回動させたとしても、水位検出部であるパージパイプを二箇所設ける必要がなく、この圧力スイッチ式水位検出手段によれば、スカム排出口から浮遊するスカムを除去するための最適な位置にスカム排出口を設定できる利点があり、殊に、パイプスキーマの後方のスカムを除去することが可能であり、仮に、スカムが沈殿池等の越流堰に堆積した場合であっても、スカム層を破砕して人力で掬い上げて処理する必要がなく、破砕したスカムを、パイプスキーマを反転方向に回動させて、スカム排出口を後方に移動させて、スカム排出口からスカムを除去することができる極めて効果的なものである。
【００１８】
また、請求項２の発明によれば、下水処理施設におけるスカム除去装置において、該スカム除去装置が、沈殿池等に浮遊するスカムを除去するためのスカム排出口を有するパイプスキーマを駆動手段により、その軸中心に正転又は反転させ、該パイプスキーマには圧力スイッチ式水位検出手段のパージパイプが付設されており、パージパイプにはエアーが供給され一方から放出されており、該駆動手段により回動する該パイプスキーマに応じて、圧力スイッチ式水位検出手段のパージパイプ（水位検出部）の先端部が、回動手段により該パイプスキーマの正転又は反転方向への回転に応じて向くように回動させるようにして、該パイプスキーマを駆動手段により正転又は反転方向に回動させて、パージパイプの先端部が水面に没する位置で、圧力スイッチ式水位検出手段が水位を検出信号を出力し、パイプスキーマの正転又は反転方向の所定の位置で回動を停止することによって、スカム排出口からスカムを除去するのに効果的な位置に設定することができるし、パイプスキーマの正転又は反転方向に圧力スイッチ式水位検出手段のパージパイプ（水位検出部）を二カ所設ける必要がなく、経済性に優れている。また、パージパイプの角度を調整することによって、スカム排出口の長手口側の堰高を任意に設定でき、スカムの状態に応じて堰高を調整することが可能である利点がある。無論、本発明によれば、沈殿池等に浮遊するスカムや堆積したスカムを破砕した後のスカムを効果的に除去することができる。
【００１９】
また、請求項３の発明によれば、下水処理施設におけるスカム除去装置は、沈殿池等に浮遊するスカムを除去するためのスカム排出口を有するパイプスキーマと、該パイプスキーマをその軸中心に正転又は反転方向に回動させる駆動手段と、該沈殿池等の水位を検出する圧力スイッチ式水位検出手段とを備え、該圧力スイッチ式水位検出手段の水位検出部が、供給されたエアーを両開放端部の何れか一方を選択的に閉じ他方を開放してエアーを放出するようにしたパージパイプを前記パイプスキーマに固定されており、該パージパイプが該パイプスキーマの正転又は反転方向の回動に連れて傾斜し、該パージパイプの開放された開放端部が水面に没し、該パージパイプ内の空気圧の上昇を検知して、前記スカム排出口が僅かに水面に没する位置で前記パイプスキーマの回動を停止し、上流から流れてくるスカム又は該パイプスキーマの後方のスカムを該スカム排出口から除去するようにしたスカム除去装置であり、パイプスキーマの正転又は反転方向に圧力スイッチ式水位検出手段の水位検出部（パージパイプ）を二カ所設ける必要がなく、経済性にも優れている。
【００２０】
例えば、パージパイプの両端部には、前記両開放端部を自重で閉塞するボール部材が備えられ、前記パイプスキーマが正転又は反転方向へ回動することにより、該パージパイプの何れか一方の開放端をボール部材で閉じ、何れか他方の開放端からエアーが放出されるようにして、該パージパイプの開放された開放端が僅かに水面に没することにより、該パージパイプ内の空気圧が上昇して所定の空気圧でスイッチが作動するようにして、水位を検出しており、上流から流れてくるスカム又は該パイプスキーマの後方のスカムをスカム排出口から除去することができ、ボール部材の自重でエアーの放出を遮断する構造であり、簡便な空気遮断方法であり、経済性にも優れている。無論、本発明によれば、沈殿池等に浮遊するスカムや堆積したスカムを破砕した後のスカムを効果的に除去することができる。
【００２１】
また、請求項４の発明によれば、スカム除去装置の圧力スイッチ式水位検知装置において、正転又は反転方向に回動するパイプスキーマの長手方向に開口したスカム排出口に隣接して設けられるパージパイプと、該パージパイプに配管を通してエアーを供給する空気供給手段と、該配管内の空気圧で作動する圧力検出器と、前記パイプスキーマの正転又は反転方向の回動に合わせて、該パージパイプの開放端を該パイプスキーマの正転又は反転方向に向けるための回動手段とを備え、該パージパイプの開放端を該回動手段により、該パイプスキーマが回動する正転又は反転方向に起動させて、該パージパイプの開放端が水面に没することによる空気圧の上昇を前記圧力検出器で検出して水位を検出するようにした圧力スイッチ式水位検知装置であって、回動手段によるパージパイプの停止角度を調整することによって、水位が変動したとしてもスカム排出口の堰高を任意に設定できる利点がある。また、パイプスキーマの正転と反転方向のそれぞれにパージパイプを設ける必要がないし、経済的である利点がある。
【００２２】
また、請求項５の発明によれば、スカム除去装置の圧力スイッチ式水位検知装置において、正転方向又は反転方向に回動するパイプスキーマの長手方向にスカム排出口が開口し、該スカム排出口に隣接して設けられる正転又は反転方向にそれぞれ開放端を有するパージパイプと、該パージパイプに配管を通して空気を供給する空気供給手段と、該配管内の空気圧で作動する圧力検出器とを備え、前記パージパイプの両開放端部には、それぞれボール部材が内蔵され、該パイプスキーマの正転又は反転方向への回動に合わせて、該パージパイプ内のボール部材が一方の開放端部を閉じ、かつ該パージパイプの他方の開放端部を開放して空気が放出されるようにして、開放端部が水面に没することによる空気圧の上昇を前記圧力検出器で検出して水位を検出しており、エアーはパージパイプの中央から供給され、ボール部材が自重で転動して一方の開放端部を閉じ、他方の開放端部からエアーが放出されるようにし、パージパイプの開放端部が汚水の水面に没することによる空気圧の上昇を検出して水位を検出しており、この装置ではパージパイプの回動手段を必要としないので動力を要することなく、パイプスキーマの正転又は反転方向の汚水の水位を検出することができる利点があり、一層経済性に優れている。無論、パイプスキーマに回動手段を設けてパージパイプを設け、水位の変動に応じてパイプスキーマの先端部が水面に接触する位置を調整し得るように、回動手段により停止角度を調整するようにしてもよい。
【発明を実施するための最良の形態】
【００２３】
以下、本発明に係るスカム除去装置及びその圧力スイッチ式水位検出装置の実施の形態について、図面を参照して説明する。なお、図１は、本発明のスカム除去装置を沈殿池に設置した実施形態を示し、同図（ａ）はその概略断面図、同図（ｂ）はその概略正面図である。図２（ａ），（ｂ）は本実施形態の圧力スイッチ式水位検出装置を装着したスカム除去装置の要部概略断面図であり、図２（ｃ），（ｄ）はそれらの要部平面図である。図３（ａ），（ｂ）は本実施形態の回動機構の他の形態を示す要部断面図である。
【００２４】
（実施形態１）
本実施形態のスカム除去装置及びその圧力スイッチ式水位検出装置について、図１（ａ），（ｂ）及び図２を参照して説明する。スカム除去装置は、第１沈殿池５に設置され、第１沈殿池５は方形状の沈殿池であり、後側壁に越流部５ａが設けられ、池床部には沈降する汚泥を掻き取るフライト式沈砂掻寄機等が設けられている。越流部５ａを越流した越流水は導水渠を経て第２沈殿池等へと流入する。第１沈殿池５の水面に浮遊するスカムは、第１沈殿池５に付設されたスカム除去装置６により回収する。
【００２５】
スカム除去装置６は、主にパイプスキーマ７と圧力スイッチ式水位検出装置８とで構成されている。パイプスキーマ７は多数のスカム排出口７ａが設けられ、パイプスキーマ７の両端は左右側壁に軸受部７ｂで回動自在に支持され、汚水の流れに対して直交する方向に水平に配置されており、電動機（駆動手段）９を駆動することによって、正転又は反転方向に回動する。パイプスキーマ７には圧力スイッチ式水位検出装置８のパージパイプ（水位検出部）８ａが設けられ、パージパイプ８ａはパイプスキーマ７とともに回動する。また、パージパイプ８ａの形状は、両端が開放された円管状のものが用いられ、一方からエアーが供給され他方から放出されている。
【００２６】
圧力スイッチ式水位検出装置８の水位検出部であるパージパイプ８ａは、パイプスキーマ７に固定された取付板１１に装着されたモータ等の回動手段８ｂの回動軸に取り付けられている。パージパイプ８ａの開放端部８ａ２  には、エアーが送り込まれる配管１２が接続され、他の開放端部８ａ１  は開放されてエアーが放出される。配管１２には、所定空気圧で作動して水位検出信号を出力する圧力スイッチ８ｃ、配管１２内の空気圧を計測する圧力計８ｄ、パージパイプ８ａにエアーを送る送風機８ｅが設けられている。また、パージパイプ８ａが回動する軸中心Ｃは、スカム排出口７ａの開口断面の中心線上であり、パージパイプ８ａの先端部とスカム排出口の堰高との関係が、パージパイプ８ａを正転又は反転方向に回動させた場合であっても等しい関係となるように設定されている。なお、パージパイプ８ａの近傍の配管１２は、例えば可撓性のあるフレキシブルパイプが使用されている。また、送風機１８ｅは圧力空気供給手段であり、例えばエアーポンプであってもよい。
【００２７】
パイプスキーマ７の回動に連れて、パージパイプ８ａの開放端部８ａ１  が水面に没すると、パージパイプ８ａ及び配管１２内の空気圧が上昇して圧力スイッチ８ｃが作動し、圧力スイッチ８ｃから水位検出信号が出力されて制御装置１０に入力される。制御装置１０は、水位検出信号に基づいて、電動機９を停止するための制御信号を出力する。また、制御装置１０には、第１沈殿槽の水位を検出するための手順をプログラムすることができ、圧力スイッチ式水位検出装置８が水位を間欠的に検出するように制御することができる。なお、送風機（空気供給手段）８ｅは、下水処理施設の曝気槽に供給されている曝気用空気を供給している送風機を兼用してもよい。また、圧力スイッチ８ｃは、望ましくは大気の気圧変動に左右されないように、差圧式の圧力スイッチが用いられる。制御装置１０は、パージパイプ８ａの回動手段８ｂの制御も行っている。
【００２８】
続いて、図１，図２を参照して、圧力スイッチ式水位検出装置を設置したスカム除去装置の動作について詳細に説明する。なお、図２（ａ），（ｃ）はスカムパイプ７を正転方向に回動させた状態を示し、図２（ｂ），（ｄ）はスカムパイプ７を反転方向に回動させた状態を示している。パージパイプ８ａは、回動手段８ｂによって、スカムパイプ７の正転方向に所定角度回動させて停止させる。例えば、この角度を停止角度とする。駆動装置９によりスカムパイプ７を正転方向に回動させると、図２（ａ），（ｃ）に示したように、パージパイプ８ａの開放端部８ａ１  が水面に没し、パージパイプ８ａ，配管１２内の空気圧が上昇する。空気圧が所定空気圧に達すると、圧力スイッチ８ｃが作動し、水位検出信号が制御装置１０に入力され、制御装置１０からの停止信号に基づいて、駆動手段９を制御してスカムパイプ７の回動を停止させる。スカム排出口７ａの長手方向開口縁は、水面に没して所定の堰高に設定され、浮遊スカムがスカム排出口７ａからスカムパイプ７内に呑み込まれ、スカムは除去される。なお、パージパイプ８ａとスカムパイプ７の回動を同時に行ってもよい。
【００２９】
一方、浮遊スカムがスカムパイプ７の後方に回り込んでいる場合は、回動手段８ｂによって、パージパイプ８ａをスカムパイプ７の反転方向に所定角度回動させて停止させ、パージパイプ８ａを駆動手段９により反転方向に回動させる。図２（ｂ），（ｄ）に示したように、パージパイプ８ａの開放端部８ａ１  は水面に没し、パージパイプ８ａ，配管１２内の空気圧が上昇して所定空気圧に達すると、圧力スイッチ８ｃが作動し、圧力スイッチ８ｃによる水位検出信号が制御装置１０に入力され、制御装置１０からの停止信号に基づいて、駆動手段９を制御してスカムパイプ７の回動を停止させる。スカム排出口７ａは、所定の堰高に設定されてスカムパイプ７の後方に浮遊スカムを除去することができる。
【００３０】
なお、パージパイプ８ａの回動手段８ｂは、上記形態に限定することなく、図３に示したように、回動手段８ｂの回転軸に駆動歯車８ｆを設け、傘歯車８ｆを組み合わせて、パージパイプ８ａの取付部１１ａを回動させるようにしてもよい。また、回動手段８ｂを圧搾空気を利用して回動させてもよい。
【００３１】
上記実施形態において、パージパイプ８ａの開放端部８ａ１  からは、例えば約１００ｍｍＨ２  Ｏ（約９８０Ｐａ）の圧力空気が放出されている。パージパイプ８ａの開放端部８ａ１  が水面に達すると、パイプスキーマ７のスカム排出口７ａの一辺である越流部（長手方向開口縁）が水面より僅かに水没して、さらにパイプスキーマ７が回動させて、堰高Ａが約４５ｍｍに達すると、浮遊するスカムがパイプスキーマ７のスカム排出口７ａから流入する。
【００３２】
なお、パージパイプ８ａは、沈殿池等で発生する硫化水素等で腐食しない材質が好ましい。また、スカムや夾雑物等が付着したとしても腐食しない材質が好ましく、さらに、パージパイプ８ａの材質としては、撥水性の良好な材質が好ましく、テフロン加工を施したものであってもよいし、また、腐食を防止するためのライニング処理を施したものであってもよい。
【００３３】
また、沈殿池では水位が変動する。そこで、圧力スイッチ式水位検出装置８による水位計測を一回のみとすると、時間経過に伴って、水位の変動による堰高が高くなり過ぎたりして、不必要に処理水がパイプスキーマ７内に流れ込んで経済的ではなく、また堰高が浅過ぎるとスカムを十分に回収することができない事態が発生する。そこで、スカム除去装置が設置されている沈殿池の水位変動の傾向に依存するが、例えば水位計測を３〜４分間隔で実施するのが好ましい。
【００３４】
（実施形態２）
本発明の他の実施形態について、図４，図５を参照して説明する。図４（ａ）はパージパイプの要部断面図、図４（ｂ）はその正面図である。図５（ａ），（ｂ）はスカム除去装置の要部側面図である。なお、本実施形態の圧力スイッチ式水位検出装置は、上記実施形態と水位検出部（パージパイプ）が相違するのみで他の構成は略同一である。
【００３５】
本実施形態のパージパイプ１３について、図４（ａ），（ｂ）を参照して説明すると、パージパイプ１３は、エアーの通気路が設けられたパイプ形状であり、両端が開放されて両開放端部１３ａ，１３ｅが形成され、両開放端部１３ａ，１３ｅより中側にそれぞれ内開放端１３ｃ，１３ｄが形成され、内開放端１３ｃ，１３ｄの内径、即ちパージパイプ１３の流路中央部の内径は、両開放端部１３ａ，１３ｅの通気路内径より小さい。また、内開放端１３ｃ，１３ｄはテーパー状となっており、開放端部１３ａと内開放端１３ｃ間にボール部材１４ａが収納され、開放端部１３ｅと内開放端１３ｄ間にボール部材１４ｂが収納され、内開放端１３ｃ，１３ｄに形成されたテーパー状の部分にボール部材１４ａ，１４ｂが嵌ることによって、パージパイプ１３の通気路を閉塞するようになっている。両開放端部１３ａ，１３ｅの近傍には、メッシュ１３ｂ，１３ｆが設けられ、パージパイプ１３が傾斜した際に、ボール部材１４ａ，１４ｂが自重で落下するのを防止している。パージパイプ１３の通気路中央部にはエアーの供給口１５が設けられている。なお、メッシュ１３ｂ，１３ｆは、スリット状のものであってもよい。
【００３６】
パージパイプ１３は、図５（ａ），（ｂ）に示したように、パイプスキーマ７に固定された取付板１６に設けられ、パイプスキーマ７を正転方向に回動させると、その回動に応じて傾斜する。図５（ａ）は、パイプスキーマ７を正転方向に回動させた場合を示しており、図５（ｂ）は、パイプスキーマ７を反転方向に回動させた場合を示している。パイプスキーマ７の回動に連れてパージパイプ１３は傾斜し、図５（ａ）では、ボール部材１４ａがエアーの流路の内開放端１３ｃを塞ぎ、ボール部材１４ｂが落下してエアーの流路の内開放端１３ｄが開放され、エアー供給口１５から供給されたエアーは、開放端部１３ｅから放出される。また、図５（ｂ）の場合では、ボール部材１４ｂがエアーの流路の内開放端１３ｄを塞ぎ、ボール部材１４ａがエアーの流路の内開放端１３ｃを開放して、供給口１５から供給されたエアーは開放端部１３ａから放出される。供給口１５には、上記実施形態と同様に配管１２が接続され、配管１２には圧力スイッチ８ｃ、圧力計８ｄ、送風機８ｅが接続され、圧力スイッチ８ｃからの水位検出信号を受ける制御装置１０が設けられている。また、パイプスキーマ７には、正転又は反転方向に回動する電動機（駆動手段）９が備えられ、制御装置１０により制御されている。
【００３７】
パイプスキーマ７を回動させて、パージパイプ１３の開放端部１３ａ或いは開放端部１３ｅが水面に没すると、パージパイプ１３から放出されるエアーの流れが妨げられて、配管１２内の空気圧が上昇すると、圧力スイッチ８ｃが作動して水位検出信号が制御装置１０に入力され、制御装置１０からは電動機９を停止するように制御信号が出力される。パイプスキーマ７のスカム排出口７ａは、所定の堰高に設定されてスカムがパイプスキーマ７のスカム排出口７ａからパイプスキーマ７内に呑み込まれて除去される。
【００３８】
なお、パージパイプ１３は、上記実施形態と同様に、沈殿池等で発生する硫化水素等で腐食しない材質が好ましい。また、スカムや夾雑物等が付着したとしても腐食しない材質が好ましく、さらに、パージパイプ１３の材質としては、撥水性の良好な材質が好ましく、テフロン加工を施したものであってもよいし、また、腐食を防止するためのライニング処理を施したものであってもよい。
【産業上の利用可能性】
【００３９】
本発明は、下水処理施設以外に産業排水処理施設に設置することができる。また、圧力スイッチ式水位検出装置は、下水処理施設以外の設備に利用することができる。
【図面の簡単な説明】
【００４０】
【図１】本発明のスカム除去装置を沈殿池に設置した実施形態を示し、同図（ａ）はその概略断面図、同図（ｂ）はその概略正面図である。
【図２】（ａ），（ｂ）は本実施形態の圧力スイッチ式水位検出装置を装着したスカム除去装置の要部概略断面図であり、（ｃ），（ｄ）はそれらの要部平面図である。
【図３】（ａ），（ｂ）は本実施形態の回動機構の他の形態を示す要部断面図である。
【図４】（ａ）は本発明の他の実施形態のスカム除去装置におけるパージパイプの要部断面図、（ｂ）はその正面図である。
【図５】（ａ），（ｂ）は図４のパージパイプを用いたスカム除去装置の要部側面図である。
【図６】（ａ），（ｂ）は、従来のスカム除去装置の要部平面図及び要部断面図である。
【符号の説明】
【００４１】
５  沈殿池
６  スカム除去装置
７  パイプスキーマ
７ａ  スカム排出口
８  圧力スイッチ式水位検出装置（圧力スイッチ式水位検出手段）
８ａ  パージパイプ
８ｂ  モータ（回動手段）
８ｄ  圧力計
８ｃ  圧力スイッチ
８ｅ  送風機（空気供給手段）
９  電動機（駆動手段）
１０  制御装置
１１  取付板
１２  配管
１３  パージパイプ
１３ａ，１３ｅ  開放端部
１３ｃ，１３ｄ  内開放端
１４ａ，１４ｂ  ボール部材
１５  エアー供給口
【図１】
2005040719.tif 000003
【図２】
2005040719.tif 000004
【図３】
2005040719.tif 000005
【図４】
2005040719.tif 000006
【図５】
2005040719.tif 000007
【図６】
2005040719.tif 000008